(57)【要約】【課題】ばら状の被めっき物を、バレルめっき装置で効率よくムラなく電解クロムめっきできるようにすることである。【解決手段】電解クロムめっき浴槽１中で回転駆動されるバレルめっき装置の筒状のバレル容器７の軸中心部に陽極電極１６を挿通し、バレル容器７の胴部を金網１７で形成した陰極電極とすることにより、陽極電極１６と金網１７の陰極電極とを近接した距離に保ち、回転駆動されるバレル容器７の陰極電極となる胴部の金網１７にばら状の被めっき物を満遍なく接触させて、これらの被めっき物をバレルめっき装置で効率よくムラなく電解クロムめっきできるようにした。【選択図】図１
2006312759.tif 000002
【特許請求の範囲】
【請求項１】
電解クロムめっき浴中に、両端を左右のフレームに支持されて回転駆動され、ばら状の被めっき物が投入される筒状のバレル容器を設け、この筒状のバレル容器の軸中心部に陽極電極を挿通し、バレル容器の胴部を金属で形成して、この金属で形成した胴部を陰極電極とした電解クロムめっき用バレルめっき装置。
【請求項２】
前記陽極電極の露出面を覆う絶縁性のネットを設けた請求項１に記載の電解クロムめっき用バレルめっき装置。
【請求項３】
前記バレル容器に挿通された陽極電極の軸断面形状を扁平な形状とし、その回転を固定した請求項１または２に記載の電解クロムめっき用バレルめっき装置。
【発明の詳細な説明】
【技術分野】
【０００１】
この発明は、ばら状の被めっき物を電解クロムめっきする電解クロムめっき用バレルめっき装置に関する。
【背景技術】
【０００２】
従来、ばら状の被めっき物を電解クロムめっきする場合は、電解クロムめっき浴中に陽極電極を吊るして、被めっき物が投入された金属製の籠をめっき浴中に浸漬し、この金属製の籠を陰極電極として、人手等によってめっき浴中で揺動させている。
【０００３】
なお、電解クロムめっき以外の他の電解めっきでは、ばら状の被めっき物を投入した筒状のバレル容器をめっき浴中で回転させるバレルめっき装置がよく用いられている（例えば、特許文献１参照）。このバレルめっき装置は、陽極電極をめっき浴中に吊るし、陰極電極をバレル容器内に導入してめっき処理を行うものである。
【０００４】
【特許文献１】特許第３３８９２２１号公報（第１、２図）
【発明の開示】
【発明が解決しようとする課題】
【０００５】
上述した従来のばら状の被めっき物の電解クロムめっき方法は、陰極電極となる揺動する金属製の籠と陽極電極との距離が変動し、かつ、この距離をあまり近づけることができないので、めっき効率が悪くなる問題がある。また、金属製の籠を人手等によって揺動させるのに手間がかかり、揺動では陰極電極となる金属製の籠に被めっき物を満遍なく接触させることができないので、めっきムラも発生しやすい問題もある。
【０００６】
このような問題を解決するためには、他の電解めっきで採用されているバレルめっき装置を用いることが考えられるが、陽極電極をめっき浴中に吊るし、陰極電極をバレル容器内に導入するバレルめっき装置では、被めっき物にクロムめっきがあまり付着しないことが経験的に知られている。この理由は明確ではないが、電解クロムめっきではクロム酸を主体とするめっき浴の導電性が悪く、陽極と陰極の電極間距離がバレル容器の内と外とに離れていると、クロムめっきが被めっき物にあまり付着しないものと思われる。
【０００７】
そこで、本発明の課題は、ばら状の被めっき物を、バレルめっき装置で効率よくムラなく電解クロムめっきできるようにすることである。
【課題を解決するための手段】
【０００８】
上記の課題を解決するために、本発明の電解クロムめっき用バレルめっき装置は、電解クロムめっき浴中に、両端を左右のフレームに支持されて回転駆動され、ばら状の被めっき物が投入される筒状のバレル容器を設け、この筒状のバレル容器の軸中心部に陽極電極を挿通し、バレル容器の胴部を金属で形成して、この金属で形成した胴部を陰極電極とした構成を採用した。
【０００９】
すなわち、電解クロムめっき浴中で回転駆動されるバレルめっき装置の筒状のバレル容器の軸中心部に陽極電極を挿通し、バレル容器の胴部を金属で形成した陰極電極とすることにより、陽極電極と陰極電極とを近接した距離に保ち、回転駆動されるバレル容器の陰極電極となる胴部に被めっき物を満遍なく接触させて、ばら状の被めっき物を、バレルめっき装置で効率よくムラなく電解クロムめっきできるようにした。
【００１０】
前記陽極電極の露出面を覆う絶縁性のネットを設けることにより、被めっき物が陽極電極に接触して短絡するのを防止することができる。
【００１１】
前記バレル容器に挿通された陽極電極の軸断面形状を扁平な形状とし、その回転を固定することにより、陽極電極の表面積を広くしてめっき効率をさらに高めるとともに、バレル容器の下側に回転してくる胴部の上で転動する被めっき物と陽極電極との距離を一定に保ち、陽極電極が被めっき物に接触するのを防止することができる。
【発明の効果】
【００１２】
本発明の電解クロムめっき用バレルめっき装置は、電解クロムめっき浴中で回転駆動されるバレルめっき装置の筒状のバレル容器の軸中心部に陽極電極を挿通し、バレル容器の胴部を金属で形成した陰極電極としたので、陽極電極と陰極電極とを近接した距離に保ち、回転駆動されるバレル容器の陰極電極となる胴部に被めっき物を満遍なく接触させて、ばら状の被めっき物を、バレルめっき装置で効率よくムラなく電解クロムめっきすることができる。
【００１３】
前記陽極電極の露出面を覆う絶縁性のネットを設けることにより、被めっき物が陽極電極に接触して短絡するのを防止することができる。
【００１４】
前記バレル容器に挿通された陽極電極の軸断面形状を扁平な形状とし、その回転を固定することにより、陽極電極の表面積を広くしてめっき効率をさらに高めるとともに、バレル容器の下側に回転してくる胴部の上で転動する被めっき物と陽極電極との距離を一定に保ち、陽極電極が被めっき物に接触するのを防止することができる。
【発明を実施するための最良の形態】
【００１５】
以下、図面に基づき、本発明の実施形態を説明する。この電解クロムめっき用バレルめっき装置は、図１および図２に示すように、クロム酸を主体とする電解クロムめっき浴槽１の上端縁に支持部材２が懸架されて、この支持部材２に設けられた支持台３にモータ４と減速機５が取り付けられ、支持部材２からめっき浴槽１中に垂下された左右のサイドフレーム６に、ばら状の被めっき物Ａが投入される六角筒状のバレル容器７が回転自在に支持されている。バレル容器７を回転駆動するモータ４と減速機５は、めっき液の飛沫がかからないように、カバー８で覆われている。
【００１６】
前記筒状のバレル容器７は、両端を樹脂製の端板９ａ、９ｂで閉塞され、一方の端板９ａの外周に歯車１０が形成され、一方のサイドフレーム６に取り付けられた歯車１１を介して、減速機５の出力軸に取り付けられた歯車１２から回転を伝達されるようになっている。また、左右の各端板９ａ、９ｂの外側には、軸受部１３ａが形成された樹脂製の軸受板１３が取り付けられ、バレル容器７は軸受部１３ａで左右のサイドフレーム６に回転自在に支持されている。
【００１７】
前記各サイドフレーム６の上部には、それぞれ陽極電源と陰極電源に接続された陽極端子１４と陰極端子１５が設けられ、それぞれ導電バー１４ａ、１５ａで、後述する軸受部１３ａに組み込まれた導電部材１４ｂ、１５ｂを介して、バレル容器７の軸中心部に挿通された陽極電極１６と、バレル容器７の胴部を形成する陰極電極としての金網１７とに通電されるようになっている。
【００１８】
図３および図４に示すように、前記バレル容器７の六角筒の胴部の１つの側面には、被めっき物Ａを投入するための蓋１８が取り付けられ、残りの５つの側面が、陰極電極としてのステンレス鋼製の金網１７で形成されている。
【００１９】
前記左右の各軸受板１３の軸受部１３ａの中心には、陽極側の導電バー１４ａにボルト結合で接続されたチタン製の棒状導電部材１４ｂが嵌挿され、その外周側に陰極側の導電バー１５ａに摺接するように接続されたステンレス鋼製の筒状導電部材１５ｂが嵌挿されている。これらの導電部材１４ｂ、１５ｂ間を絶縁するために、陽極側の各導電部材１４ｂには樹脂製の絶縁リング１９ａが外嵌され、陰極側の各導電部材１５ｂには樹脂製の絶縁リング１９ｂが内嵌されている。また、これらの絶縁リング１９ａ、１９ｂは互いに摺接するすべり軸受の役割もしており、各導電バー１４ａにボルト結合された左右の導電部材１４ｂは回転を固定され、左右の導電部材１５ｂはバレル容器７の軸受板１３と一緒に回転するようになっている。
【００２０】
前記左右の導電部材１４ｂの間には、バレル容器７の軸中心部に挿通されるように陽極電極１６がボルト結合で取り付けられている。また、左右の導電部材１５ｂには、各端板９ａ、９ｂと軸受板１３の間で放射状に延びる５本の導電アーム部材１５ｃが接続され、これらの導電アーム部材１５ｃが六角筒の胴部の５つの側面を形成する各金網１７にステンレス鋼製の導電ねじ２０で接続されている。
【００２１】
図４に示すように、前記バレル容器７が図中に矢印で示す方向に回転すると、その内部に投入されたばら状の被めっき物Ａは、下側に回転してくる胴部の上で転動し、その層の上面は回転下流側へ盛り上がるように傾斜する。前記陽極電極１６は軸断面形状が扁平な形状とされており、その下向きの前面側が被めっき物Ａの層の上面と対向するように、斜めに傾斜した状態で回転を固定されている。また、被めっき物Ａの層と対向しない陽極電極１６の上向きの背面側は、電極効率を高めるために樹脂製のカバー２１で覆われ、陽極電極１６の前面側を含むその他の露出面は、万が一、被めっき物Ａが接触して短絡しないように、樹脂製の絶縁ネット２２で覆われている。
【００２２】
上述した実施形態では、バレル容器の形状を六角筒状とし、その左右両側から陽極電極と陰極電極とに導電するようにしたが、バレル容器は他の多角筒状や円筒状とすることもでき、陽極電極と陰極電極への導電はバレル容器の片側のみから行なうようにしてもよい。
【図面の簡単な説明】
【００２３】
【図１】バレルめっき装置の実施形態を示す一部切欠き正面図
【図２】図１の一部切欠き側面図
【図３】図１のバレル容器を拡大して示す縦断正面図
【図４】図３の縦断側面図
【符号の説明】
【００２４】
１  めっき浴槽
２  支持部材
３  支持台
４  モータ
５  減速機
６  サイドフレーム
７  バレル容器
８  カバー
９ａ、９ｂ  端板
１０、１１、１２  歯車
１３  軸受板
１３ａ  軸受部
１４  陽極端子
１５  陰極端子
１４ａ、１５ａ  導電バー
１４ｂ、１５ｂ  導電部材
１５ｃ  導電アーム部材
１６  陽極電極
１７  金網
１８  蓋
１９ａ、１９ｂ  絶縁リング
２０  導電ねじ
２１  カバー
２２  絶縁ネット
【図１】
2006312759.tif 000003
【図２】
2006312759.tif 000004
【図３】
2006312759.tif 000005
【図４】
2006312759.tif 000006